(57)【要約】【課題】横幅が小さく配管同士の接続個所に配置しやすく、また流体の流れにほとんど影響を与えることもない、構造が単純でその故障・破損も少ない低廉なワイパー装置付きサイトフローを提供する。【解決手段】液体が流れる配管（２）内の様子を観察するためのサイトフロー（１０）であって、配管同士の連結接続のために対向させた配管端部のフランジ部（４）の間に配置され、中心部に流体を通過させるための流路が形成された透明な短筒状の短筒体（１２）と、流体の流れによって前記短筒体の内周面に摺接しながら回転するワイパー体（１４）と、を有する、ことを特徴とする。【選択図】  図１
2007315983.tif 000002
【特許請求の範囲】
【請求項１】
液体が流れる配管（２）内の様子を観察するためのサイトフロー（１０）であって、
配管同士の連結接続のために対向させた配管端部のフランジ部（４）の間に配置され、中心部に流体を通過させるための流路が形成された透明な短筒状の短筒体（１２）と、
流体の流れによって前記短筒体の内周面に摺接しながら回転するワイパー体（１４）と、を有する、ことを特徴とするワイパー装置付きサイトフロー。
【請求項２】
前記短筒体（１２）と配管（２）端部の前記フランジ部（４）との間に挟止され、かつ、流体を通過させるための開口が形成されたドーナツ型円盤状の挟止部（１６ａ）および該挟止部の内周縁に形成されたガイドレール部（１６ｂ）とからなる挟止体（１６）を備え、
前記ワイパー体（１４）は、一対の挟止体の間に配置され、流体の流れによって前記ガイドレール部に沿って回転する、ことを特徴とする請求項１に記載のワイパー装置付きサイトフロー。
【請求項３】
前記短筒体（１２）の両端近傍の内周面には環状の凹溝（１８）が形成されており、
前記ワイパー体（１４）は、その両端の脚部（１４ａ）が該凹溝に遊嵌されており、流体の流れによって凹溝に沿って回転する、ことを特徴とする請求項１に記載のワイパー装置付きサイトフロー。
【請求項４】
前記挟止体（１６）のガイドレール部（１６ｂ）は、前記短筒体（１２）の内周面との間に一定の空隙（Ｇ）を形成するように屈曲して形成され、前記ワイパー体（１４）は、その両端の脚部（１４ａ）を対向するガイドレール部の該空隙に遊嵌されて取り付けられる、ことを特徴とする請求項２に記載のワイパー装置付きサイトフロー。
【請求項５】
前記ワイパー体（１４）は、流体の流れ方向に伸長し、かつ、両端の脚部（１４ａ）を前記ガイドレール部（１６ｂ）又は前記凹溝（１８）に取り付けられて前記短筒体（１２）の内周面に摺接回転する基部（１４ｂ）と、該基部から流体内に延出し、かつ、流体を受け流すことで回転力を発生させる複数の翼部（１４ｃ）と、からなる、ことを特徴とする請求項２又は３に記載のワイパー装置付きサイトフロー。
【請求項６】
前記ワイパー体（１４）は、流体の流れ方向に対して傾斜して伸長し、かつ、軸方向に形成した翼部（１４ｃ）により流体を受け流すことで回転力を発生させて前記短筒体の内周面に摺接回転する基部（１４ｂ）と、該基部の両端を支え、かつ、前記ガイドレール部（１６ｂ）又は前記凹溝（１８）に沿うように形成された円環枠状の支持枠体（２２）と、からなる、ことを特徴とする請求項２又は３に記載のワイパー装置付きサイトフロー。
【発明の詳細な説明】
【技術分野】
【０００１】
本発明は、配管内を流れる水などの流体の状態を直接目視にて確認するためのサイトフローへの汚れの付着を防止するためのワイパー装置を備えたワイパー装置付きサイトフローに関する。
【背景技術】
【０００２】
サイトフローとは、配管内を流れる水などの流体の状態や気体の混入の状態を外部から目視により確認するためのもので、一般的には配管同士の接続個所に配置される。図１０に従来から用いられているサイトフローの正面図を示した。このサイトフロー（４０）は、破線で示した配管（２）と同様の内径を有し両端にフランジ（４１）が形成された円筒状の胴部（４３）と、胴部の側面側に形成された透明な窓部（４５）とを有している。配管とサイトフローとの接続は、配管の端部のフランジ部（４）とサイトフロー両端のフランジとを、図示しないパッキンを挟み込んだ上でボルト・ナット（４７）で締結することによって行われる。
【０００３】
ここで図に示したような一般的なサイトフローでは、時間の経過とともに窓部に水垢等の汚れが付着してしまい、窓部から配管内の流体の状態を目視することができなくなることがあった。従来このような場合には、配管同士の接続個所からサイトフローを取り外してこれを清掃していたが、かかる清掃には多くの手間を要していた。なおこの分解清掃は定期的に行う必要があった。
【０００４】
そこで近年では、窓部に付着した汚れを除去するためのワイパー装置が設けられた種々のサイトフローも開発されている。図１１に示した内部構造のワイパー装置付きサイトフローは、窓部に取り付けた羽根車が水流の勢いによって回転し、これが窓部の内面と摺接することにより窓部内面への汚れの付着を防止し、また、付着した汚れを擦り落とすようになっている。また特許文献１の「全方向型流体見視器」には、配管の周方向全周に渡って形成された窓部に付着した汚れを、配管内に設けた羽根車によって擦り落とすようにした技術が開示されている。
【特許文献１】登録実用新案第３０５６５７１号公報
【発明の開示】
【発明が解決しようとする課題】
【０００５】
しかしながら図１１のワイパー装置付きのサイトフロー等は、流体の流れ方向の幅が大きく配管同士の接続個所に配置する上でその配置が制限されることがあった。また配管経路内に羽根車が大きく伸長することから流体の流れに影響を与えることもあり、さらに一時的に大きな圧力が流体に加わったり流体に不純物が混入した場合には羽根車が破損しやすいといった問題があった。このことは特許文献１の「全方向型流体見視器」においても同様である。
【０００６】
本発明は上記問題点に鑑みて創案されたもので、その目的はその横幅が小さく配管同士の接続個所に配置しやすく、また流体の流れにほとんど影響を与えることもない、構造が単純でその故障・破損も少ない低廉なワイパー装置付きサイトフローを提供することにある。
【課題を解決するための手段】
【０００７】
上記目的を達成するために本発明は、液体が流れる配管（２）内の様子を観察するためのサイトフロー（１０）であって、配管同士の連結接続のために対向させた配管端部のフランジ部（４）の間に配置され、中心部に流体を通過させるための流路が形成された透明な短筒状の短筒体（１２）と、流体の流れによって前記短筒体の内周面に摺接しながら回転するワイパー体（１４）と、を有する、ことを特徴とするワイパー装置付きサイトフローを提供する。
【０００８】
ここで本発明のワイパー装置付きサイトフローは、前記短筒体（１２）と配管（２）端部の前記フランジ部（４）との間に挟止され、かつ、流体を通過させるための開口が形成されたドーナツ型円盤状の挟止部（１６ａ）および該挟止部の内周縁に形成されたガイドレール部（１６ｂ）とからなる挟止体（１６）を備え、前記ワイパー体（１４）は、一対の挟止体の間に配置され、流体の流れによって前記ガイドレール部に沿って回転するものとするか、前記短筒体（１２）の両端近傍の内周面には環状の凹溝（１８）が形成されており、前記ワイパー体（１４）は、その両端の脚部（１４ａ）が該凹溝に遊嵌されており、流体の流れによって凹溝に沿って回転するものとする。
【０００９】
なお前記挟止体（１６）のガイドレール部（１６ｂ）は、前記短筒体（１２）の内周面との間に一定の空隙（Ｇ）を形成するように屈曲して形成され、前記ワイパー体（１４）は、その両端の脚部（１４ａ）を対向するガイドレール部の該空隙に遊嵌されて取り付けられる、ものとすることが好ましい。
【００１０】
また、前記ワイパー体（１４）は、流体の流れ方向に伸長し、かつ、両端の脚部（１４ａ）を前記ガイドレール部（１６ｂ）又は前記凹溝（１８）に取り付けられて前記短筒体（１２）の内周面に摺接回転する基部（１４ｂ）と、該基部から流体内に延出し、かつ、流体を受け流すことで回転力を発生させる複数の翼部（１４ｃ）と、からなるものであるか、流体の流れ方向に対して傾斜して伸長し、かつ、軸方向に形成した翼部（１４ｃ）により流体を受け流すことで回転力を発生させて前記短筒体の内周面に摺接回転する基部（１４ｂ）と、該基部の両端を支え、かつ、前記ガイドレール部（１６ｂ）又は前記凹溝（１８）に沿うように形成された円環枠状の支持枠体（２２）と、からなるものであることが好ましい。
【発明の効果】
【００１１】
本発明によれば、対向させた配管端部のフランジ部の間に配置した透明な短筒体を配管内部を流れる流体を観察するためののぞき窓とし、流体の流れによって短筒体の内周面に摺接しながら回転するワイパー体を備えることで、短筒体の内周面への汚れの付着を防止することができることは勿論、流方向の幅が小さく、配管同士の接続個所に配置する際にもその配置が制限されにくいワイパー装置付きサイトフローが提供される。
【００１２】
また本発明のワイパー装置付きサイトフローは、プロペラのような羽根車が配管経路内に大きく伸長することもなく、ワイパー体の翼部または基部が流体を受け流すのみであるため、流体の流れに影響をほとんど与えず、また、不純物が流体に混入した場合にも、ワイパー部に破損が発生することもほとんどない。
【００１３】
なお本発明のワイパー装置付きサイトフローは、その構造が単純であるため製造コストが低廉であり、また、その故障も少ないといった特徴も有している。
【発明を実施するための最良の形態】
【００１４】
本発明のワイパー装置付きサイトフローは、配管内部を流れる流体の様子を外部から目視により観察するためのものであり、配管同士を連結接続するために配管の両端に形成されるフランジ部同士の間に配置されて固定されるものである。なおフランジ部には配管同士を連結接続するためのボルト穴が複数（６個所）形成されている。
以下、本発明の好ましい実施形態を図面を参照して説明する。なお各実施例において同一の構成の部位については同一の符号を付すことで重複する説明を省略する。
【実施例１】
【００１５】
図１は第一の実施例のワイパー装置付きサイトフローの構造を説明するための分解斜視図であり、図２は各構成部品を組み付けた後のワイパー装置付きサイトフローの斜視図、図３はその軸方向断面図、図４は図３におけるＸ−Ｘ断面図である。
【００１６】
本実施例のワイパー装置付きサイトフロー１０は、図１乃至図４に示したように、外部から配管２内の様子を目視するための透明な短筒体１２と、短筒体１２と配管２のフランジ部４との間に挟止される挟止体１６と、流体の流れによって短筒体１２の内周面に摺接しながら回転するワイパー体１４とから構成されている。なお、フランジ部４と挟止体１６の間および挟止体１６と短筒体１２との間にはパッキン２１が挟み込まれる（図３参照）。
【００１７】
短筒体１２は、中心部に流体を通過させるための流路が形成されたアクリル等で製作された透明な円筒形の短筒であり、その外径はフランジ部４の外径と同じで、内径は配管２の内径よりも若干大きく、肉厚はフランジ部４の径方向長さと同程度となっている。具体的には、例えば配管２の内径が１０ｃｍ、フランジ部４の外形が１４ｃｍ、配管２の肉厚が１ｃｍである場合、短筒体１２は外径が１４ｃｍ、内径が１１ｃｍとなっている。なお短筒体１２の軸方向長さは適宜変更可能であるが、１０ｃｍ程度以下であることが好ましい。また短筒体１２には、フランジ部４のボルト穴に対応する位置の軸方向にボルト２３を通すための複数のボルト穴が形成されている。
【００１８】
挟止体１６は、厚さ２ｍｍ程度のアルミ等の金属を加工することで製作され、流体を通過させるための開口が形成されたドーナツ型円盤状の挟止部１６ａおよび挟止部１６ａの内周縁に形成されたガイドレール部１６ｂとからなる。短筒体１２が上記の寸法の場合、挟止部１６ａはその外径が１４ｃｍ、開口の径が１０ｃｍとなっている。ガイドレール部１６ｂは、挟止部１６ａの内周縁において９０度屈曲し、短筒体１２の内周面との間に一定の空隙Ｇを形成するように、流体の流れ方向（軸方向）に１ｃｍ程度伸びた円環状に形成されている（図１および図３参照）。
ここで配管端部のフランジ部４間への挟止体１６の取り付けは、短筒体１２の両端に屈曲したガイドレール部１６ｂが対向するようにしてなされる。なお挟止部１６ａには、フランジ部４のボルト穴に対応する位置に、ボルト２３を通すための複数のボルト穴が形成されている。
【００１９】
図５に拡大斜視図で示したワイパー体１４は、流体の流れ方向に伸長し、かつ、両端に挟止体１６のガイドレール部１６ｂに取り付けるための脚部１４ａが形成されたＩ型形状をした基部１４ｂと、脚部１４ａを除く部分の基部１４ｂから１ｃｍ程度延出する複数の翼部１４ｃとからなる。また基部１４ｂには翼部と反対側の面にその軸方向の全長に渡って、汚れを拭い去るのに適したゴム製のヘラ２５が取り付けられている。
ワイパー体１４はその両端の脚部１４ａを、対向する一対のガイドレール部１６ｂの空隙Ｇに遊嵌されて取り付けられる（図３参照）。短筒体１２および挟止体１６に取り付けられたワイパー体１４は、その翼部１４ｃが流体の流れ方向に対して一定の方向に傾斜（１５〜３０°程度）している。翼部１４ｃは、短筒体１２内を通り抜ける流体の一部を受け流すことでワイパー体１４に回転力を与え、これによりワイパー体１４はガイドレール部１６ｂに沿って短筒体１２の内周面に摺接回転する。
ここでガイドレール部１６ｂに沿ったワイパー体１４の回転をより円滑に行わせるため、基部１４ｂの脚部１４ａに図示しないベアリングを備えてやることなども好ましい。
なお本実施例ではワイパー体１４の数は１つとなっているが、ガイドレール部１６ｂに２つ以上ワイパー体を取り付けてやることも可能である。この場合、ワイパー体１４はそれぞれ独立しているため、１つのワイパー体１４が例えばゴミの挟み込みなどの障害によりその回転が阻害された場合にも、隣接するワイパー体１４がこれに衝突して衝撃を与えることで、その障害が除去されて再び回転をはじめることが期待される。なおワイパー体１４を２つ以上取り付ける場合には、各ワイパー体１４のヘラ２５がスリット状に汚れを拭い去るように、基部１４ｂの軸方向に等間隔にヘラ２５を互い違いに配置してやることも好ましい。
【００２０】
図６に本実施例のワイパー体１４の変形例を示した。図に示したようにこのワイパー体１４は円周上で等間隔に配置された３本の基部１４ｂの両端が、ガイドレール部１６ｂの空隙Ｇに遊嵌する円環枠状の支持枠体２２により支えられた構造となっている。かかる構造ではワイパー体１４が等間隔に配置されるため、ワイパー体１４が短筒体１２の内周面にバランスよく円滑に摺接回転することとなる。
【００２１】
以上説明した本実施例のワイパー装置付きサイトフロー１０によれば、短筒体１２の内周面への汚れの付着を防止することができることは勿論、流方向の幅もとらずに適宜変更可能で、配管２同士の接続個所に配置する際にもその配置の自由度を向上させることができる。また、ワイパー体１４の翼部１４ｃは流体を受け流すのみであるため、流体の流れに影響をほとんど与えず、また、延出部分が小さいため不純物が流体に混入した場合にも、ワイパー部に破損が発生することもほとんどなくなる。さらに本実施例のワイパー装置付きサイトフロー１０は、その構造が単純であるため製造コストが低廉であり、それゆえその故障も少ない。
【実施例２】
【００２２】
図７に第二の実施例のワイパー装置付きサイトフローに用いられるワイパー体の斜視図を示した。
本実施例のワイパー装置付きサイトフローは、実施例１のワイパー装置付きサイトフローとはワイパー体の構造が異なるが、その他の部位については同様であるため、以下にはワイパー体についてのみ説明する。
【００２３】
図に示したワイパー体１４は、円周上で等間隔に配置された３本の基部１４ｂの両端が、挟止体１６のガイドレール部１６ｂの空隙Ｇに遊嵌する円環枠状の支持枠体２２により支えられた構造となっており、基部１４ｂは流体の流れ方向に対して１５〜３０°程度傾斜するように支持枠体２２に取り付けられている。また基部１４ｂには、軸方向に伸長し１ｃｍ程度径方向内側に延出する一連の翼部１４ｃがその全長に渡って形成されている。さらに基部１４ｂには翼部１４ｃと反対側の面にその軸方向の全長に渡って汚れを拭い去るのに適したゴム製のヘラ２５が取り付けられている。
なお上記実施例１のように支持枠体２２に設けずに、基部１４ｂを脚部により支えて独立して回転させるように構成することも勿論可能である。
【００２４】
本実施例では基部１４ｂと一連の翼部１４ｃとを一体的に形成するためその構造がより単純化され、その製造コストもより低減することができる。また翼部１４ｃが基部１４ｂと一連かつ一体的に形成されているため翼部１４ｃの強度が増加し、その破損もより一層低減させることができる。
【実施例３】
【００２５】
図８に第三の実施例のワイパー装置付きサイトフローの分解斜視図、図９にその軸方向断面図を示した。
本実施例のワイパー装置付きサイトフロー１０は、実施例１および実施例２のワイパー装置付きサイトフロー１０の構成要件である挟止体１６を不要としたものであり、図に示したように、外部から配管２内の様子を目視するための透明な短筒体１２と、流体の流れによって短筒体１２の内周面に摺接しながら回転するワイパー体１４と、フランジ部４と短筒体１２との間に挟み込まれるパッキン２１から構成されている。
【００２６】
本実施例の短筒体１２は、実施例１および実施例２の短筒体の両端近傍（角部を含む）の内周面に、ワイパー体１４の両端を遊嵌することでこれを支える環状の凹溝１８が対称に形成されている。この凹溝１８はその深さが１ｃｍ程度であり、取り付けたワイパー体１４が外れることのないようにL字型に形成されている。
【００２７】
ワイパー体１４は、実施例１のように基部１４ｂがＩ型のもの、実施例１の変形例のように複数のＩ型の基部１４ｂが円環枠状の支持枠体２２により支えられたもの、または実施例２のように基部１４ｂを流体の流れ方向に対して傾斜して支持枠体２２に取り付け、一連の翼部１４ｃを基部１４ｂと一体的に形成したもののいずれをも採用することができるが、その脚部１４ａや支持枠体２２は、短筒体１２に形成した凹溝１８に遊嵌・係止するように基部１４ｂの端から延出・屈曲して形成される必要がある。両端の脚部１４ａを短筒体１２の凹溝１８に遊嵌されたワイパー体１４は、凹溝をレールにして短筒体１２の内周面に摺接回転することにより短筒体１２の内周面への汚れの付着を防止する。
【００２８】
以上に説明した本実施例のワイパー装置付きサイトフローによれば、短筒体に凹溝を形成してこれをレールにしてワイパー体を摺接回転させるため、実施例１や実施例２のように挟止体が不要となりその構造を単純化できるとともに製造コストも低減させることができる。
【００２９】
このように本発明によれば、のぞき窓である短筒体の内周面への汚れの付着をワイパー体の回転により防止することができることは勿論、その横幅が小さく配管同士の接続個所に配置しやすく、流体の流れにほとんど影響を与えることもなく、かつ、簡易な構造でその製造コストも低廉で故障や破損もほとんどないワイパー装置付きサイトフローが提供される。
【図面の簡単な説明】
【００３０】
【図１】実施例１のワイパー装置付きサイトフローの分解斜視図である。
【図２】各構成部品を組み付けた後のワイパー装置付きサイトフローの斜視図である。
【図３】実施例１のワイパー装置付きサイトフローの軸方向断面図である。
【図４】図３におけるＸ−Ｘ断面図である。
【図５】ワイパー体の拡大斜視図である。
【図６】実施例１のワイパー体の変形例を示した斜視図である。
【図７】実施例２のワイパー装置付きサイトフローに用いられるワイパー体を示した斜視図である。
【図８】実施例３のワイパー装置付きサイトフローの分解斜視図である。
【図９】実施例３のワイパー装置付きサイトフローの軸方向断面図である。
【図１０】従来から用いられている一般的なサイトフローの正面図である。
【図１１】従来のワイパー装置付きサイトフローの内部構造を示した図である。
【符号の説明】
【００３１】
２    配管
４    フランジ部
１０    サイトフロー
１２    短筒体
１４    ワイパー体
１４ａ  脚部
１４ｂ  基部
１４ｃ  翼部
１６    挟止体
１６ａ  挟止部
１６ｂ  ガイドレール部
１８    凹溝
２１    パッキン
２２    支持枠体
２３    ボルト
２５    ヘラ
Ｇ      空隙
【図１】
2007315983.tif 000003
【図２】
2007315983.tif 000004
【図３】
2007315983.tif 000005
【図４】
2007315983.tif 000006
【図５】
2007315983.tif 000007
【図６】
2007315983.tif 000008
【図７】
2007315983.tif 000009
【図８】
2007315983.tif 000010
【図９】
2007315983.tif 000011
【図１０】
2007315983.tif 000012
【図１１】
2007315983.tif 000013